(57)【特許請求の範囲】
【請求項１】
無線通信システムにおいてＵＥ（Ｕｓｅｒ  Ｅｑｕｉｐｍｅｎｔ）により非周期的サウンディング参照信号（ＳＲＳ）を送信する方法であって、前記方法は、
ＲＲＣ（Ｒａｄｉｏ  Ｒｅｓｏｕｒｃｅ  Ｃｏｎｔｒｏｌ）シグナリングを介して、基地局（ＢＳ）から、パワーオフセットパラメータセットにさらに含まれる非周期的ＳＲＳのためのパワーオフセットパラメータを受信することであって、前記パワーオフセットパラメータセットは、周期的ＳＲＳのためのパワーオフセットパラメータを含む、ことと、
前記パワーオフセットパラメータに基づいて前記非周期的ＳＲＳの送信電力を設定することと、
前記設定された非周期的ＳＲＳの送信電力に基づいて前記非周期的ＳＲＳを前記ＢＳに送信することと
を含む、方法。
【請求項２】
前記パワーオフセットパラメータは、４ビットの長さを有する、請求項１に記載の方法。
【請求項３】
前記非周期的ＳＲＳの送信電力は、前記パワーオフセットパラメータに基づいて以下の数式により決定され、
以下の数式において、ｍ＝１であり、
【数１】
0005485473.tif 000037
ｉはサブフレームインデックスであり、ｃはサービングセルであり、ＰＣＭＡＸ，ｃ（ｉ）は予め指定されたＵＥの送信電力であり、ＰＳＲＳ＿ＯＦＦＳＥＴ，ｃ（ｍ）は前記パワーオフセットパラメータであり、ＭＳＲＳ，ｃはリソースブロックの個数で示されるＳＲＳ送信の帯域幅であり、ＰＯ＿ＰＵＳＣＨ，ｃ（ｊ）は、上位階層により与えられるセル特定要素であるＰＯ＿ＮＯＭＩＮＡＬ＿ＰＵＳＣＨ（ｊ）と、前記上位階層により与えられるＵＥ特定要素であるＰＯ＿ＵＥ＿ＰＵＳＣＨ（ｊ）との和で構成されるパラメータであり、αｃ（ｊ）は前記上位階層により与えられるセル特定パラメータであり、ＰＬｃは前記ＵＥにより計算された経路損失の推定値であり、ｆ（ｉ）はＰＵＳＣＨ（Ｐｈｙｓｉｃａｌ  Ｕｐｌｉｎｋ  Ｓｈａｒｅｄ  Ｃｈａｎｎｅｌ）に対する現在電力制御調整状態を示す、請求項１に記載の方法。
【請求項４】
前記パワーオフセットパラメータは、電力制御でトランスポートブロックの大きさを有する補償値を指示するＵＥ特定パラメータにより決定される、請求項１に記載の方法。
【請求項５】
前記ＵＥ特定パラメータの値が１．２５の場合、前記パワーオフセットパラメータは、［−３，１２］ｄＢの範囲で１ｄＢ単位に決定される、請求項４に記載の方法。
【請求項６】
前記ＵＥ特定パラメータの値が０の場合、前記パワーオフセットパラメータは、［−１０．５，１２］ｄＢの範囲で１．５ｄＢ単位に決定される。請求項４に記載の方法。
【請求項７】
前記非周期的ＳＲＳの送信は、前記ＢＳから送信されるトリガリングメッセージによりトリガされる、請求項１に記載の方法。
【請求項８】
無線通信システムにおけるＵＥ（Ｕｓｅｒ  Ｅｑｕｉｐｍｅｎｔ）であって、
前記ＵＥは、ＲＦ（Ｒａｄｉｏ  Ｆｒｅｑｕｅｎｃｙ）部と、前記ＲＦ部に連結されるプロセッサとを備え、
前記ＵＥは、
ＲＲＣ（Ｒａｄｉｏ  Ｒｅｓｏｕｒｃｅ  Ｃｏｎｔｒｏｌ）シグナリングを介して、基地局（ＢＳ）から、パワーオフセットパラメータセットにさらに含まれる非周期的サウンディング参照信号（ＳＲＳ）のためのパワーオフセットパラメータを受信することであって、前記パワーオフセットパラメータセットは、周期的ＳＲＳのためのパワーオフセットパラメータを含む、ことと、
前記非周期的ＳＲＳのためのパワーオフセットパラメータに基づいて前記非周期的ＳＲＳの送信電力を設定することと、
前記設定された非周期的ＳＲＳの送信電力に基づいて前記非周期的ＳＲＳを前記ＢＳに送信することと
を実行するように構成される、ＵＥ。
【請求項９】
前記パワーオフセットパラメータは、４ビットの長さを有する、請求項８に記載のＵＥ。
【請求項１０】
前記非周期的ＳＲＳの送信電力は、前記パワーオフセットパラメータに基づいて以下の数式により決定され、
以下の数式において、ｍ＝１であり、
【数２】
0005485473.tif 000038
ｉはサブフレームインデックスであり、ｃはサービングセルであり、ＰＣＭＡＸ，ｃ（ｉ）は予め指定されたＵＥの送信電力であり、ＰＳＲＳ＿ＯＦＦＳＥＴ，ｃ（ｍ）は前記パワーオフセットパラメータであり、ＭＳＲＳ，ｃはリソースブロックの個数で示されるＳＲＳ送信の帯域幅であり、ＰＯ＿ＰＵＳＣＨ，ｃ（ｊ）は、上位階層により与えられるセル特定要素であるＰＯ＿ＮＯＭＩＮＡＬ＿ＰＵＳＣＨ（ｊ）と、前記上位階層により与えられるＵＥ特定要素であるＰＯ＿ＵＥ＿ＰＵＳＣＨ（ｊ）との和で構成されるパラメータであり、αｃ（ｊ）は前記上位階層により与えられるセル特定パラメータであり、ＰＬｃは前記ＵＥにより計算された経路損失の推定値であり、ｆ（ｉ）はＰＵＳＣＨ（Ｐｈｙｓｉｃａｌ  Ｕｐｌｉｎｋ  Ｓｈａｒｅｄ  Ｃｈａｎｎｅｌ）に対する現在電力制御調整状態を示す、請求項８に記載のＵＥ。
【請求項１１】
前記パワーオフセットパラメータは、電力制御でトランスポートブロックの大きさを有する補償値を指示するＵＥ特定パラメータにより決定される、請求項８に記載のＵＥ。
【請求項１２】
前記ＵＥ特定パラメータの値が１．２５の場合、前記パワーオフセットパラメータは、［−３，１２］ｄＢの範囲で１ｄＢ単位に決定される、請求項１１に記載のＵＥ。
【請求項１３】
前記ＵＥ特定パラメータの値が０の場合、前記パワーオフセットパラメータは、［−１０．５，１２］ｄＢの範囲で１．５ｄＢ単位に決定される、請求項１１に記載のＵＥ。
【発明の詳細な説明】
【技術分野】
【０００１】
本発明は、無線通信に関し、より詳しくは、無線通信システムにおける非周期的サウンディング参照信号送信方法及び装置に関する。
【背景技術】
【０００２】
無線通信システムでは、データの送／受信、システム同期獲得、チャネル情報フィードバックなどのためにアップリンクチャネル又はダウンリンクチャネルを推定する必要がある。無線通信システム環境では、多重経路時間遅延のためフェーディングが発生するようになる。フェーディングによる急激な環境変化により発生する信号の歪曲を補償して送信信号を復元する過程をチャネル推定という。また、端末が属するセル或いは他のセルに対するチャネル状態（ｃｈａｎｎｅｌ  ｓｔａｔｅ）を測定する必要がある。チャネル推定又はチャネル状態測定のために、一般的に送受信機が相互間に知っている参照信号（ＲＳ；Ｒｅｆｅｒｅｎｃｅ  Ｓｉｇｎａｌ）を用いてチャネル推定を実行するようになる。
【０００３】
参照信号送信に使われる副搬送波を参照信号副搬送波といい、データ送信に使われるリソース要素をデータ副搬送波という。ＯＦＤＭシステムにおいて、参照信号は、全ての副搬送波に割り当てる方式及びデータ副搬送波間に割り当てる方式がある。参照信号を全ての副搬送波に割り当てる方式は、チャネル推定性能の利得を得るために、プリアンブル信号のように参照信号のみからなる信号を用いる。これを使用する場合、一般的に参照信号の密度が高いため、データ副搬送波間に参照信号を割り当てる方式に比べてチャネル推定性能が改善されることができる。然しながら、データの送信量が減少されるため、データの送信量を増大させるためには、データ副搬送波間に参照信号を割り当てる方式を使用するようになる。このような方法を使用する場合、参照信号の密度が減少するため、チャネル推定性能の劣化が発生するようになり、これを最小化することができる適切な配置が要求される。
【０００４】
受信機は、参照信号の情報を知っているため、受信された信号でこれを分けてチャネルを推定することができ、推定されたチャネル値を補償し、送信端で送ったデータを正確に推定することができる。送信機で送る参照信号をｐ、参照信号が送信中に経るようになるチャネル情報をｈ、受信機で発生する熱雑音をｎ、受信機で受信された信号をｙとすると、ｙ＝ｈ・ｐ＋ｎのように示すことができる。この時、参照信号ｐは、受信機が既に知っているため、ＬＳ（Ｌｅａｓｔ  Ｓｑｕａｒｅ）方式を用いる場合、数式１のようにチャネル情報
【化１】
0005485473.tif 000002
を推定することができる。
【０００５】
【数１】
0005485473.tif 000003
【０００６】
この時、参照信号ｐを用いて推定したチャネル推定値
【化２】
0005485473.tif 000004
に応じてその正確度が決定されるようになる。従って、正確なｈ値の推定のためには、
【化３】
0005485473.tif 000005
が０に収束しなければならず、このためには多くの個数の参照信号を用いてチャネルを推定することによって
【化４】
0005485473.tif 000006
の影響を最小化しなければならない。優秀なチャネル推定性能のための多様なアルゴリズムが存在することができる。
【０００７】
アップリンク参照信号は、復調参照信号（ＤＭＲＳ；Ｄｅｍｏｄｕｌａｔｉｏｎ  Ｒｅｆｅｒｅｎｃｅ  Ｓｉｇｎａｌ）とサウンディング参照信号（ＳＲＳ；Ｓｏｕｎｄｉｎｇ  Ｒｅｆｅｒｅｎｃｅ  Ｓｉｇｎａｌ）とに区分されることができる。ＤＭＲＳは、受信された信号の復調のためのチャネル推定に使われる参照信号である。ＤＭＲＳは、ＰＵＳＣＨ又はＰＵＣＣＨの送信と結合されることができる。ＳＲＳは、アップリンクスケジューリングのために端末が基地局に送信する参照信号である。基地局は、受信されたＳＲＳを介してアップリンクチャネルを推定し、推定されたアップリンクチャネルをアップリンクスケジューリングに用いる。ＳＲＳは、周期的（ｐｅｒｉｏｄｉｃ）に送信されたり、或いは基地局がＳＲＳの送信を必要とする時、基地局によって誘発（ｔｒｉｇｇｅｒ）されて非周期的（ａｐｅｒｉｏｄｉｃ）に送信されることができる。
【０００８】
端末は、予め決定された送信電力（ｔｒａｎｓｍｉｔ  ｐｏｗｅｒ）でＳＲＳを送信することができる。この時、周期的ＳＲＳの送信電力と非周期的ＳＲＳの送信電力が互いに違って設定されることができ、このために、周期的ＳＲＳと非周期的ＳＲＳに対して互いに異なるパラメータがシグナリングされることができる。
【０００９】
非周期的ＳＲＳの送信電力を決定するための方法が要求される。
【発明の概要】
【発明が解決しようとする課題】
【００１０】
本発明の技術的課題は、無線通信システムにおける非周期的（ａｐｅｒｉｏｄｉｃ）サウンディング参照信号（ＳＲＳ；Ｓｏｕｎｄｉｎｇ  Ｒｅｆｅｒｅｎｃｅ  Ｓｉｇｎａｌ）送信方法及び装置を提供することである。
【課題を解決するための手段】
【００１１】
一態様において、無線通信システムにおける端末（ＵＥ；Ｕｓｅｒ  Ｅｑｕｉｐｍｅｎｔ）により実行される非周期的（ａｐｅｒｉｏｄｉｃ）サウンディング参照信号（ＳＲＳ；Ｓｏｕｎｄｉｎｇ  Ｒｅｆｅｒｅｎｃｅ  Ｓｉｇｎａｌ）送信方法が提供される。前記非周期的ＳＲＳ送信方法は、基地局が設定した非周期的ＳＲＳのためのパワーオフセット（ｐｏｗｅｒ  ｏｆｆｓｅｔ）パラメータを上位階層（ｈｉｇｈｅｒ  ｌａｙｅｒ）を介して受信し、前記パワーオフセット（ｐｏｗｅｒ  ｏｆｆｓｅｔ）パラメータに基づいて前記非周期的ＳＲＳの送信電力を設定し、前記設定された非周期的ＳＲＳの送信電力に基づいて前記非周期的ＳＲＳを前記基地局に送信することを含む。
【００１２】
前記パワーオフセットパラメータの長さは、４ビットである。
【００１３】
前記パワーオフセットパラメータは、ＲＲＣ（Ｒａｄｉｏ  Ｒｅｓｏｕｒｃｅ  Ｃｏｎｔｒｏｌ）シグナリングされる。
【００１４】
前記非周期的ＳＲＳの送信電力は、前記パワーオフセットパラメータに基づいて数式
【化５】
0005485473.tif 000007
により決定され、数式において、ｍ＝１である。ｉはサブフレームインデックスを示し、ｃはサービングセル（ｓｅｒｖｉｎｇ  ｃｅｌｌ）を示す。ＰＣＭＡＸ，ｃ（ｉ）は予め指定された端末の送信電力を示し、ＰＳＲＳ＿ＯＦＦＳＥＴ，ｃ（ｍ）は前記パワーオフセットパラメータを示し、ＭＳＲＳ，ｃはリソースブロックの個数で示されるＳＲＳ送信の帯域幅を示し、ＰＯ＿ＰＵＳＣＨ，ｃ（ｊ）は、上位階層により与えられるセル特定名目要素（ｎｏｍｉｎａｌ  ｃｏｍｐｏｎｅｎｔ）であるＰＯ＿ＮＯＭＩＮＡＬ＿ＰＵＳＣＨ（ｊ）と、上位階層により与えられる端末特定要素であるＰＯ＿ＵＥ＿ＰＵＳＣＨ（ｊ）と、の和で構成されるパラメータを示し、αｃ（ｊ）は上位階層により与えられるセル特定パラメータを示し、ＰＬｃは端末で計算された経路損失（ｐａｔｈｌｏｓｓ）の推定値を示し、ｆ（ｉ）はＰＵＳＣＨ（Ｐｈｙｓｉｃａｌ  Ｕｐｌｉｎｋ  Ｓｈａｒｅｄ  Ｃｈａｎｎｅｌ）に対する現在電力制御調整状態を示す。
【００１５】
前記パワーオフセットパラメータは、電力制御でトランスポートブロック（ｔｒａｎｓｐｏｒｔ  ｂｌｏｃｋ）大きさの補償値を指示する端末特定（ＵＥ−ｓｐｅｃｉｆｉｃ）パラメータにより決定される。
【００１６】
前記端末特定パラメータの値が１．２５の場合、前記パワーオフセットパラメータは、［−３，１２］ｄＢの範囲で１ｄＢ単位に決定される。
【００１７】
前記端末特定パラメータの値が０の場合、前記パワーオフセットパラメータは、［−１０．５，１２］ｄＢの範囲で１．５ｄＢ単位に決定される。
【００１８】
前記非周期的ＳＲＳの送信は、前記基地局から送信されるトリガリングメッセージ（ｔｒｉｇｇｅｒｉｎｇ  ｍｅｓｓａｇｅ）によりトリガ（ｔｒｉｇｇｅｒ）される。
【００１９】
他の態様において、無線通信システムにおける端末が提供される。前記端末は、基地局が設定した非周期的ＳＲＳのためのパワーオフセットパラメータに基づいて前記非周期的ＳＲＳの送信電力を設定するように構成されるプロセッサ（ｐｒｏｃｅｓｓｏｒ）、及び前記プロセッサと連結されるＲＦ（Ｒａｄｉｏ  Ｆｒｅｑｕｅｎｃｙ）部を含み、前記ＲＦ部は、前記パワーオフセットパラメータを上位階層を介して前記基地局から受信し、前記設定された非周期的ＳＲＳの送信電力に基づいて前記非周期的ＳＲＳを前記基地局に送信するように構成される。
【発明の効果】
【００２０】
非周期的ＳＲＳの送信電力のためのパラメータを定義する。
【図面の簡単な説明】
【００２１】
【図１】無線通信システムである。
【図２】３ＧＰＰ  ＬＴＥにおける無線フレーム（ｒａｄｉｏ  ｆｒａｍｅ）の構造を示す。
【図３】一つのダウンリンクスロットに対するリソースグリッド（ｒｅｓｏｕｒｃｅ  ｇｒｉｄ）の一例を示す。
【図４】ダウンリンクサブフレームの構造を示す。
【図５】アップリンクサブフレームの構造を示す。
【図６】提案された非周期的ＳＲＳ送信方法の一実施例を示す。
【図７】本発明の実施例が具現される基地局及び端末のブロック図である。
【発明を実施するための形態】
【００２２】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現されることができる。ＩＥＥＥ８０２．１６ｍは、ＩＥＥＥ８０２．１６ｅの進化であり、ＩＥＥＥ８０２．１６ｅに基づくシステムとの後方互換性（ｂａｃｋｗａｒｄ  ｃｏｍｐａｔｉｂｉｌｉｔｙ）を提供する。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ）を使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進化である。
【００２３】
説明を明確にするために、ＬＴＥ−Ａを中心に記述するが、本発明の技術的思想がこれに制限されるものではない。
【００２４】
図１は、無線通信システムである。
【００２５】
無線通信システム１０は、少なくとも一つの基地局（Ｂａｓｅ  Ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは、複数の領域（セクターという）に分けられることができる。端末（Ｕｓｅｒ  Ｅｑｕｉｐｍｅｎｔ；ＵＥ）１２は、固定されたり、移動性を有することができ、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２６】
端末は、通常的に一つのセルに属し、端末が属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する異なるセルが存在する。サービングセルに隣接する異なるセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、端末を基準に相対的に決定される。
【００２７】
この技術は、ダウンリンク（ｄｏｗｎｌｉｎｋ）又はアップリンク（ｕｐｌｉｎｋ）に使われることができる。一般的に、ダウンリンクは基地局１１から端末１２への通信を意味し、アップリンクは端末１２から基地局１１への通信を意味する。ダウンリンクで、送信機は基地局１１の一部分であり、受信機は端末１２の一部分である。アップリンクで、送信機は端末１２の一部分であり、受信機は基地局１１の一部分である。
【００２８】
無線通信システムは、ＭＩＭＯ（Ｍｕｌｔｉｐｌｅ−Ｉｎｐｕｔ  Ｍｕｌｔｉｐｌｅ−Ｏｕｔｐｕｔ）システム、ＭＩＳＯ（Ｍｕｌｔｉｐｌｅ−Ｉｎｐｕｔ  Ｓｉｎｇｌｅ−Ｏｕｔｐｕｔ）システム、ＳＩＳＯ（Ｓｉｎｇｌｅ−Ｉｎｐｕｔ  Ｓｉｎｇｌｅ−Ｏｕｔｐｕｔ）システム、及びＳＩＭＯ（Ｓｉｎｇｌｅ−Ｉｎｐｕｔ  Ｍｕｌｔｉｐｌｅ−Ｏｕｔｐｕｔ）システムのうちいずれか一つである。ＭＩＭＯシステムは、複数の送信アンテナ（ｔｒａｎｓｍｉｔ  ａｎｔｅｎｎａ）と複数の受信アンテナ（ｒｅｃｅｉｖｅ  ａｎｔｅｎｎａ）を使用する。ＭＩＳＯシステムは、複数の送信アンテナと一つの受信アンテナを使用する。ＳＩＳＯシステムは、一つの送信アンテナと一つの受信アンテナを使用する。ＳＩＭＯシステムは、一つの送信アンテナと複数の受信アンテナを使用する。以下、送信アンテナは、一つの信号又はストリームの送信に使われる物理的又は論理的アンテナを意味し、受信アンテナは、一つの信号又はストリームの受信に使われる物理的又は論理的アンテナを意味する。
【００２９】
図２は、３ＧＰＰ  ＬＴＥにおける無線フレーム（ｒａｄｉｏ  ｆｒａｍｅ）の構造を示す。
【００３０】
これは３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ  ３６．２１１  Ｖ８．２．０（２００８−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ８）”の５節を参照することができる。図２を参照すると、無線フレームは１０個のサブフレーム（ｓｕｂｆｒａｍｅ）で構成され、一つのサブフレームは２個のスロット（ｓｌｏｔ）で構成される。無線フレーム内のスロットは、＃０から＃１９までのスロット番号が付けられる。一つのサブフレームの送信にかかる時間をＴＴＩ（Ｔｒａｎｓｍｉｓｓｉｏｎ  Ｔｉｍｅ  Ｉｎｔｅｒｖａｌ）という。ＴＴＩは、データ送信のためのスケジューリング単位を意味する。例えば、一つの無線フレームの長さは１０ｍｓであり、一つのサブフレームの長さは１ｍｓであり、一つのスロットの長さは０．５ｍｓである。
【００３１】
一つのスロットは、時間領域（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数領域で複数の副搬送波を含む。ＯＦＤＭシンボルは、３ＧＰＰ  ＬＴＥがダウンリンクでＯＦＤＭＡを使用するため、一つのシンボル区間（ｓｙｍｂｏｌ  ｐｅｒｉｏｄ）を表現するためのものであり、多重接続方式によって他の名称で呼ばれることもある。例えば、アップリンク多重接続方式にＳＣ−ＦＤＭＡが使われる場合、ＳＣ−ＦＤＭＡシンボルということができる。リソースブロック（ＲＢ；Ｒｅｓｏｕｒｃｅ  Ｂｌｏｃｋ）は、リソース割当単位であり、一つのスロットで複数の連続する副搬送波を含む。前記無線フレームの構造は一例に過ぎない。従って、無線フレームに含まれるサブフレームの個数やサブフレームに含まれるスロットの個数、又はスロットに含まれるＯＦＤＭシンボルの個数は多様に変更されることができる。
【００３２】
３ＧＰＰ  ＬＴＥは、ノーマル（ｎｏｒｍａｌ）サイクリックプレフィックス（ＣＰ；Ｃｙｃｌｉｃ  Ｐｒｅｆｉｘ）で一つのスロットは７個のＯＦＤＭシンボルを含み、拡張（ｅｘｔｅｎｄｅｄ）ＣＰで一つのスロットは６個のＯＦＤＭシンボルを含むと定義している。
【００３３】
無線通信システムは、大きく、ＦＤＤ（Ｆｒｅｑｕｅｎｃｙ  Ｄｉｖｉｓｉｏｎ  Ｄｕｐｌｅｘ）方式とＴＤＤ（Ｔｉｍｅ  Ｄｉｖｉｓｉｏｎ  Ｄｕｐｌｅｘ）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占め、互いに異なる時間に行われる。ＴＤＤ方式のチャネル応答は、実質的に相互的（ｒｅｃｉｐｒｏｃａｌ）である。これは与えられた周波数領域でダウンリンクチャネル応答とアップリンクチャネル応答がほぼ同じであるということを意味する。従って、ＴＤＤに基づく無線通信システムにおけるダウンリンクチャネル応答は、アップリンクチャネル応答から得られることができるという長所がある。ＴＤＤ方式は、全体周波数帯域をアップリンク送信とダウンリンク送信が時分割されるため、基地局によるダウンリンク送信と端末によるアップリンク送信が同時に実行されることができない。アップリンク送信とダウンリンク送信がサブフレーム単位に区分されるＴＤＤシステムで、アップリンク送信とダウンリンク送信は互いに異なるサブフレームで実行される。
【００３４】
図３は、一つのダウンリンクスロットに対するリソースグリッド（ｒｅｓｏｕｒｃｅ  ｇｒｉｄ）の一例を示す。
【００３５】
ダウンリンクスロットは、時間領域で複数のＯＦＤＭシンボルを含み、周波数領域でＮＲＢ個のリソースブロックを含む。ダウンリンクスロットに含まれるリソースブロックの数ＮＲＢは、セルで設定されるダウンリンク送信帯域幅（ｂａｎｄｗｉｄｔｈ）に従属する。例えば、ＬＴＥシステムにおけるＮＲＢは、６０〜１１０のうちいずれか一つである。一つのリソースブロックは、周波数領域で複数の副搬送波を含む。アップリンクスロットの構造も前記ダウンリンクスロットの構造と同じである。
【００３６】
リソースグリッド上の各要素（ｅｌｅｍｅｎｔ）をリソース要素（ｒｅｓｏｕｒｃｅ  ｅｌｅｍｅｎｔ）という。リソースグリッド上のリソース要素は、スロット内のインデックス対（ｐａｉｒ）（ｋ，ｌ）により識別されることができる。ここで、ｋ（ｋ＝０，．．．，ＮＲＢ×１２−１）は周波数領域内の副搬送波インデックスであり、ｌ（ｌ＝０，．．．，６）は時間領域内のＯＦＤＭシンボルインデックスである。
【００３７】
ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数と副搬送波の数はこれに制限されるものではない。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。例えば、ノーマルＣＰの場合、ＯＦＤＭシンボルの数は７であり、拡張されたＣＰの場合、ＯＦＤＭシンボルの数は６である。一つのＯＦＤＭシンボルで副搬送波の数は、１２８、２５６、５１２、１０２４、１５３６、及び２０４８のうち一つを選定して使用することができる。
【００３８】
図４は、ダウンリンクサブフレームの構造を示す。
【００３９】
ダウンリンクサブフレームは時間領域で２個のスロットを含み、各スロットはノーマルＣＰで７個のＯＦＤＭシンボルを含む。サブフレーム内の第１のスロットの前方部の最大３ＯＦＤＭシンボル（１．４Ｍｈｚ帯域幅に対しては最大４ＯＦＤＭシンボル）は、制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域である。
【００４０】
ＰＤＣＣＨは、ＤＬ−ＳＣＨ（Ｄｏｗｎｌｉｎｋ−Ｓｈａｒｅｄ  Ｃｈａｎｎｅｌ）のリソース割当及び送信フォーマット、ＵＬ−ＳＣＨ（Ｕｐｌｉｎｋ  Ｓｈａｒｅｄ  Ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意のＵＥグループ内の個別ＵＥに対する送信パワー制御命令の集合及びＶｏＩＰ（Ｖｏｉｃｅ  ｏｖｅｒ  Ｉｎｔｅｒｎｅｔ  Ｐｒｏｔｏｃｏｌ）の活性化などを運ぶことができる。複数のＰＤＣＣＨが制御領域内で送信されることができ、端末は複数のＰＤＣＣＨをモニタリングすることができる。ＰＤＣＣＨは、一つ又は複数個の連続的なＣＣＥ（Ｃｏｎｔｒｏｌ  Ｃｈａｎｎｅｌ  Ｅｌｅｍｅｎｔｓ）の集合（ａｇｇｒｅｇａｔｉｏｎ）上に送信される。ＣＣＥは、無線チャネルの状態による符号化率をＰＤＣＣＨに提供するために使われる論理的割当単位である。ＣＣＥは、複数のリソース要素グループ（ｒｅｓｏｕｒｃｅ  ｅｌｅｍｅｎｔ  ｇｒｏｕｐ）に対応される。ＣＣＥの数とＣＣＥにより提供される符号化率の関係によってＰＤＣＣＨのフォーマット及び可能なＰＤＣＣＨのビット数が決定される。
【００４１】
基地局は、端末に送るＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付ける。ＣＲＣにはＰＤＣＣＨの所有者（ｏｗｎｅｒ）や用途によって固有な識別子（ＲＮＴＩ；Ｒａｄｉｏ  Ｎｅｔｗｏｒｋ  Ｔｅｍｐｏｒａｒｙ  Ｉｄｅｎｔｉｆｉｅｒ）がマスキングされる。特定端末のためのＰＤＣＣＨの場合、端末の固有識別子、例えば、Ｃ−ＲＮＴＩ（Ｃｅｌｌ−ＲＮＴＩ）がＣＲＣにマスキングされることができる。又は、ページングメッセージのためのＰＤＣＣＨの場合、ページング指示識別子、例えば、Ｐ−ＲＮＴＩ（Ｐａｇｉｎｇ−ＲＮＴＩ）がＣＲＣにマスキングされることができる。システム情報（ＳＩＢ；Ｓｙｓｔｅｍ  Ｉｎｆｏｒｍａｔｉｏｎ  Ｂｌｏｃｋ）のためのＰＤＣＣＨの場合、システム情報識別子、ＳＩ−ＲＮＴＩ（Ｓｙｓｔｅｍ  Ｉｎｆｏｒｍａｔｉｏｎ−ＲＮＴＩ）がＣＲＣにマスキングされることができる。端末のランダムアクセスプリアンブルの送信に対する応答であるランダムアクセス応答を指示するためにＲＡ−ＲＮＴＩ（Ｒａｎｄｏｍ  Ａｃｃｅｓｓ−ＲＮＴＩ）がＣＲＣにマスキングされることができる。
【００４２】
図５は、アップリンクサブフレームの構造を示す。
【００４３】
アップリンクサブフレームは、周波数領域で制御領域とデータ領域とに分けられることができる。前記制御領域は、アップリンク制御情報が送信されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。前記データ領域は、データが送信されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。上位階層で指示される場合、端末はＰＵＳＣＨとＰＵＣＣＨの同時送信をサポートすることができる。
【００４４】
一つの端末に対するＰＵＣＣＨは、サブフレームでリソースブロック対（ＲＢ  ｐａｉｒ）で割り当てられる。リソースブロック対に属するリソースブロックは、第１のスロットと第２のスロットの各々で互いに異なる副搬送波を占める。ＰＵＣＣＨに割り当てられるリソースブロック対に属するリソースブロックが占める周波数は、スロット境界（ｓｌｏｔ  ｂｏｕｎｄａｒｙ）を基準に変更される。これをＰＵＣＣＨに割り当てられるＲＢ対がスロット境界で周波数がホッピング（ｆｒｅｑｕｅｎｃｙ−ｈｏｐｐｅｄ）されたという。端末がアップリンク制御情報を時間によって互いに異なる副搬送波を介して送信することによって、周波数ダイバーシティ利得を得ることができる。ｍは、サブフレーム内でＰＵＣＣＨに割り当てられたリソースブロック対の論理的な周波数領域位置を示す位置インデックスである。
【００４５】
ＰＵＣＣＨ上に送信されるアップリンク制御情報には、ＨＡＲＱ（Ｈｙｂｒｉｄ  Ａｕｔｏｍａｔｉｃ  Ｒｅｐｅａｔ  ｒｅＱｕｅｓｔ）ＡＣＫ（Ａｃｋｎｏｗｌｅｄｇｅｍｅｎｔ）／ＮＡＣＫ（Ｎｏｎ−ａｃｋｎｏｗｌｅｄｇｅｍｅｎｔ）、ダウンリンクチャネル状態を示すＣＱＩ（Ｃｈａｎｎｅｌ  Ｑｕａｌｉｔｙ  Ｉｎｄｉｃａｔｏｒ）、アップリンク無線リソース割当要求であるＳＲ（Ｓｃｈｅｄｕｌｉｎｇ  Ｒｅｑｕｅｓｔ）などがある。
【００４６】
ＰＵＳＣＨは、トランスポートチャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨ上に送信されるアップリンクデータは、ＴＴＩ中に送信されるＵＬ−ＳＣＨのためのデータブロックであるトランスポートブロック（ｔｒａｎｓｐｏｒｔ  ｂｌｏｃｋ）である。前記トランスポートブロックは、ユーザ情報である。又は、アップリンクデータは、多重化された（ｍｕｌｔｉｐｌｅｘｅｄ）データである。多重化されたデータは、ＵＬ−ＳＣＨのためのトランスポートブロックと制御情報が多重化されたものである。例えば、データに多重化される制御情報には、ＣＱＩ、ＰＭＩ（Ｐｒｅｃｏｄｉｎｇ  Ｍａｔｒｉｘ  Ｉｎｄｉｃａｔｏｒ）、ＨＡＲＱ、ＲＩ（Ｒａｎｋ  Ｉｎｄｉｃａｔｏｒ）などがある。又は、アップリンクデータは制御情報のみで構成されることもできる。
【００４７】
以下、アップリンク参照信号に対して説明する。
【００４８】
参照信号は一般的にシーケンスとして送信される。参照信号シーケンスは、特別な制限なしに任意のシーケンスが使われることができる。参照信号シーケンスは、ＰＳＫ（Ｐｈａｓｅ  Ｓｈｉｆｔ  Ｋｅｙｉｎｇ）ベースのコンピュータを介して生成されたシーケンス（ＰＳＫ−ｂａｓｅｄ  ｃｏｍｐｕｔｅｒ  ｇｅｎｅｒａｔｅｄ  ｓｅｑｕｅｎｃｅ）を使用することができる。ＰＳＫの例には、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）などがある。又は、参照信号シーケンスは、ＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）シーケンスを使用することができる。ＣＡＺＡＣシーケンスの例には、ＺＣ（Ｚａｄｏｆｆ−Ｃｈｕ）ベースのシーケンス（ＺＣ−ｂａｓｅｄ  ｓｅｑｕｅｎｃｅ）、循環拡張（ｃｙｃｌｉｃ  ｅｘｔｅｎｓｉｏｎ）されたＺＣシーケンス（ＺＣ  ｓｅｑｕｅｎｃｅ  ｗｉｔｈ  ｃｙｃｌｉｃ  ｅｘｔｅｎｓｉｏｎ）、切断（ｔｒｕｎｃａｔｉｏｎ）ＺＣシーケンス（ＺＣ  ｓｅｑｕｅｎｃｅ  ｗｉｔｈ  ｔｒｕｎｃａｔｉｏｎ）などがある。又は、参照信号シーケンスは、ＰＮ（ｐｓｅｕｄｏ−ｒａｎｄｏｍ）シーケンスを使用することができる。ＰＮシーケンスの例には、ｍ−シーケンス、コンピュータを介して生成されたシーケンス、ゴールド（Ｇｏｌｄ）シーケンス、カサミ（Ｋａｓａｍｉ）シーケンスなどがある。また、参照信号シーケンスは。循環シフトされたシーケンス（ｃｙｃｌｉｃａｌｌｙ  ｓｈｉｆｔｅｄ  ｓｅｑｕｅｎｃｅ）を用いることができる。
【００４９】
アップリンク参照信号は、復調参照信号（ＤＭＲＳ；Ｄｅｍｏｄｕｌａｔｉｏｎ  Ｒｅｆｅｒｅｎｃｅ  Ｓｉｇｎａｌ）とサウンディング参照信号（ＳＲＳ；Ｓｏｕｎｄｉｎｇ  Ｒｅｆｅｒｅｎｃｅ  Ｓｉｇｎａｌ）とに区分されることができる。ＤＭＲＳは、受信された信号の復調のためのチャネル推定に使われる参照信号である。ＤＭＲＳは、ＰＵＳＣＨ又はＰＵＣＣＨの送信と結合されることができる。ＳＲＳは、アップリンクスケジューリングのために端末が基地局に送信する参照信号である。基地局は、受信されたサウンディング参照信号を介してアップリンクチャネルを推定し、推定されたアップリンクチャネルをアップリンクスケジューリングに用いる。ＳＲＳは、ＰＵＳＣＨ又はＰＵＣＣＨの送信と結合されない。ＤＭＲＳとＳＲＳのために同じ種類の基本シーケンスが使われることができる。一方、アップリンク多重アンテナ送信でＤＭＲＳに適用されたプリコーディングは、ＰＵＳＣＨに適用されたプリコーディングと同様である。循環シフト分離（ｃｙｃｌｉｃ  ｓｈｉｆｔ  ｓｅｐａｒａｔｉｏｎ）は、ＤＭＲＳを多重化する基本技法（ｐｒｉｍａｒｙ  ｓｃｈｅｍｅ）である。ＬＴＥ−Ａシステムにおいて、ＳＲＳは、プリコーディングされなくてもよく、アンテナ特定された参照信号であってもよい。
【００５０】
ＳＲＳは、端末や中継局が基地局に送信する参照信号であり、アップリンクデータや制御信号送信と関連付けられない参照信号である。ＳＲＳは、一般的にアップリンクで周波数選択的スケジューリングのためのチャネル品質推定のために使われるが、他の用途で使われることもできる。例えば、パワー制御や最初ＭＣＳ選択、データ送信のための最初パワー制御などにも使われることができる。ＳＲＳは、一般的に一つのサブフレームの最後のＳＣ−ＦＤＭＡシンボルで送信される。
【００５１】
ＳＲＳシーケンスｒＳＲＳ（ｎ）＝ｒｕ，ｖ（α）（ｎ）で定義される。参照信号シーケンスｒｕ，ｖ（α）（ｎ）は、数式２により基本シーケンスｂｕ，ｖ（ｎ）と循環シフトαに基づいて定義されることができる。
【００５２】
【数２】
0005485473.tif 000008
【００５３】
数式２で、ＭｓｃＲＳ（１≦ｍ≦ＮＲＢｍａｘ，ＵＬ）は、参照信号シーケンスの長さであり、ＭｓｃＲＳ＝ｍ＊ＮｓｃＲＢである。ＮｓｃＲＢは、周波数領域で副搬送波の個数で示されるリソースブロックの大きさを示し、ＮＲＢｍａｘ，ＵＬは、ＮｓｃＲＢの倍数で示されるアップリンク帯域幅の最大値を示す。複数の参照信号シーケンスは、一つの基本シーケンスから循環シフト値であるαを違って適用して定義されることができる。
【００５４】
基本シーケンスｂｕ，ｖ（ｎ）は複数のグループに分けられ、この時、ｕ∈｛０，１，．．．，２９｝はグループインデックスを示し、ｖはグループ内で基本シーケンスインデックスを示す。基本シーケンスは、基本シーケンスの長さ（ＭｓｃＲＳ）に依存する。各グループは、１≦ｍ≦５であるｍに対して長さがＭｓｃＲＳである一つの基本シーケンス（ｖ＝０）を含み、６≦ｍ≦ｎＲＢｍａｘ，ＵＬであるｍに対しては長さがＭｓｃＲＳである２個の基本シーケンス（ｖ＝０，１）を含む。シーケンスグループインデックスｕとグループ内の基本シーケンスインデックスｖは、後述するグループホッピング（ｇｒｏｕｐ  ｈｏｐｐｉｎｇ）又はシーケンスホッピング（ｓｅｑｕｅｎｃｅ  ｈｏｐｐｉｎｇ）のように時間によって変わることができる。
【００５５】
また、ＳＲＳシーケンスで、ｕはＰＵＣＣＨシーケンスグループインデックスを示し、ｖは基本シーケンスインデックスを示す。循環シフト値αは、数式３により定義される。
【００５６】
【数３】
0005485473.tif 000009
【００５７】
ｎＳＲＳｃｓは、各端末に対して上位階層により構成される値であり、０から７までの整数のうちいずれか一つである。
【００５８】
ＳＲＳシーケンスは、送信電力ＰＳＲＳを満たすために、振幅スケーリング因子であるβＳＲＳをかけてリソース要素にマッピングされる。ＳＲＳシーケンスは、ｒＳＲＳ（０）から始めてリソース要素（ｋ，ｌ）に数式４によってマッピングされることができる。
【００５９】
【数４】
0005485473.tif 000010
【００６０】
数式４で、ｋ０はＳＲＳの周波数領域での開始位置（ｓｔａｒｔｉｎｇ  ｐｏｓｉｔｉｏｎ）であり、Ｍｓｃ，ｂＲＳは、数式５により定義されるＳＲＳシーケンスの長さである。
【００６１】
【数５】
0005485473.tif 000011
【００６２】
数式５で、ｍＳＲＳ，ｂは、各アップリンク帯域幅ＮＲＢＵＬに対して後述する表１乃至表４により与えられることができる。
【００６３】
数式４のｋ０は、数式６により定義されることができる。
【００６４】
【数６】
0005485473.tif 000012
【００６５】
数式６で、ｋ０′は、一般アップリンクサブフレームでは
【化６】
0005485473.tif 000013
として与えられる。ｋＴＣ∈｛０，１｝は上位階層により端末に与えられるパラメータであり、ｎｂは周波数位置インデックスである。
【００６６】
ＳＲＳの周波数ホッピング（ｆｒｅｑｕｅｎｃｙ  ｈｏｐｐｉｎｇ）は、上位階層により与えられるパラメータｂｈｏｐ∈｛０，１，２，３｝により構成される。ＳＲＳの周波数ホッピングが可能でない場合（ｂｈｏｐ≧ＢＳＲＳ）、前記周波数位置インデックス
【化７】
0005485473.tif 000014
の定数により決定され、ｎＲＲＣは上位階層により与えられる。ＳＲＳの周波数ホッピングが可能の場合（ｂｈｏｐ＜ＢＳＲＳ）、前記周波数位置インデックスｎｂは、数式７により決定されることができる。
【００６７】
【数７】
0005485473.tif 000015
【００６８】
Ｎｂは後述する表１乃至表４により決定され、Ｆｂ（ｎＳＲＳ）は数式８により決定されることができる。
【００６９】
【数８】
0005485473.tif 000016
【００７０】
数式８で、ｎＳＲＳは、端末特定ＳＲＳの送信の回数を示し、数式９により決定されることができる。
【００７１】
【数９】
0005485473.tif 000017
【００７２】
数式９で、ＴＳＲＳはＳＲＳの送信の端末特定周期（ｐｅｒｉｏｄｉｃｉｔｙ）を示し、ＴｏｆｆｓｅｔはＳＲＳサブフレームオフセットを示し、Ｔｏｆｆｓｅｔ＿ｍａｘはＳＲＳサブフレームオフセットの特定構成のためのＴｏｆｆｓｅｔ値の最大値を示す。ＴＳＲＳとＴｏｆｆｓｅｔは、後述する表７及び表８により与えられることができる。
【００７３】
表１乃至表４は、ＳＲＳ帯域幅構成の一例を示す。３ビットのセル特定パラメータが８個のうち一つの帯域幅構成を指示するためにブロードキャストされることができる。また、２ビットの端末特定パラメータが４個のうち一つの帯域幅構成を指示するために上位階層から与えられることができる。
【００７４】
表１は、アップリンク帯域幅ＮＲＢＵＬが６≦ＮＲＢＵＬ≦４０の範囲である時、ｍＳＲＳ，ｂ及びＮｂ（但し、ｂ＝０，１，２，３）の一例である。
【００７５】
【表１】
0005485473.tif 000018
【００７６】
表２は、アップリンク帯域幅ＮＲＢＵＬが４０≦ＮＲＢＵＬ≦６０の範囲である時、ｍＳＲＳ，ｂ及びＮｂ（但し、ｂ＝０，１，２，３）の一例である。
【００７７】
【表２】
0005485473.tif 000019
【００７８】
表３は、アップリンク帯域幅ＮＲＢＵＬが６０≦ＮＲＢＵＬ≦８０の範囲である時、ｍＳＲＳ，ｂ及びＮｂ（但し、ｂ＝０，１，２，３）の一例である。
【００７９】
【表３】
0005485473.tif 000020
【００８０】
表４は、アップリンク帯域幅ＮＲＢＵＬが８０≦ＮＲＢＵＬ≦１１０の範囲である時、ｍＳＲＳ，ｂ及びＮｂ（但し、ｂ＝０，１，２，３）の一例である。
【００８１】
【表４】
0005485473.tif 000021
【００８２】
表１乃至表４で、セル特定パラメータであるＣＳＲＳ∈｛０，１，２，３，４，５，６，７｝と端末特定パラメータであるＢＳＲＳ∈｛０，１，２，３｝は上位階層により与えられる。
【００８３】
表５及び表６は、ＳＲＳの送信に対するセル特定サブフレーム構成周期パラメータＴＳＦＣとセル特定サブフレームオフセットパラメータΔＳＦＣの一例である。
【００８４】
表５は、ＦＤＤシステムでのＳＲＳサブフレーム構成の一例である。表５によると、ＳＲＳサブフレーム構成は、長さが４ビットであるパラメータにより指示されることができ、ＳＲＳサブフレームの周期は、１、２、５、及び１０サブフレームのうちいずれか一つになることができる。
【００８５】
【表５】
0005485473.tif 000022
【００８６】
表６は、ＴＤＤシステムでのＳＲＳサブフレーム構成の一例である。
【００８７】
【表６】
0005485473.tif 000023
【００８８】
以下、アップリンク電力制御（ｐｏｗｅｒ  ｃｏｎｔｒｏｌ）に対して説明する。これは３ＧＰＰ  ＴＳ  ３６．２１３  Ｖ９．０．０（２００９−１２）“３ｒｄ  Ｇｅｎｅｒａｔｉｏｎ  Ｐａｒｔｎｅｒｓｈｉｐ  ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｌａｙｅｒ  ｐｒｏｃｅｄｕｒｅｓ  （Ｒｅｌｅａｓｅ９）”を参照することができる。アップリンク電力制御は、互いに異なるアップリンク物理チャネルの送信電力を制御する。即ち、アップリンク電力制御は、物理チャネルが送信されるＳＣ−ＦＤＡＭシンボル上の平均電力を決定する。
【００８９】
端末は、サブフレームｉにおいて、ＰＵＳＣＨの送信電力を数式１０のように設定することができる。
【００９０】
【数１０】
0005485473.tif 000024
【００９１】
数式１０で、ＰＣＭＡＸは予め決定された端末の送信電力であり、ＭＰＵＳＣＨ（ｉ）はリソースブロックの個数で示されるサブフレームｉで有効なＰＵＳＣＨリソース割当の帯域幅である。
【００９２】
数式１０で、ＰＯ＿ＰＵＳＣＨ（ｊ）は上位階層により与えられるセル特定名目要素（ｎｏｍｉｎａｌ  ｃｏｍｐｏｎｅｎｔ）であるＰＯ＿ＮＯＭＩＮＡＬ＿ＰＵＳＣＨ（ｊ）と、上位階層により与えられる端末特定要素であるＰＯ＿ＵＥ＿ＰＵＳＣＨ（ｊ）と、の和で構成されるパラメータである。半永久的グラント（ｓｅｍｉ−ｐｅｒｓｉｓｔｅｎｔ  ｇｒａｎｔ）に対応されるＰＵＳＣＨの（再）送信の場合、ｊ＝０であり、動的スケジューリンググラント（ｄｙｎａｍｉｃ  ｓｃｈｅｄｕｌｅｄ  ｇｒａｎｔ）に対応されるＰＵＳＣＨの（再）送信の場合、ｊ＝１であり、任意接続応答グラント（ｒａｎｄｏｍ  ａｃｃｅｓｓ  ｒｅｓｐｏｎｓｅ  ｇｒａｎｔ）に対応されるＰＵＳＣＨの（再）送信の場合、ｊ＝２である。ＰＯ＿ＵＥ＿ＰＵＳＣＨ（２）＝０であり、ＰＯ＿ＮＯＭＩＮＡＬ＿ＰＵＳＣＨ（２）＝ＰＯ＿ＰＲＥ＋ΔＰＲＥＡＭＢＬＥ＿Ｍｓｇ３である。この時、ＰＯ＿ＰＲＥとΔＰＲＥＡＭＢＬＥ＿Ｍｓｇ３は、上位階層によりシグナリングされる。
【００９３】
数式１０で、ｊ＝０又はｊ＝１の場合、α∈｛０，０．４，０．５，０．６，０．７，０．８，０．９，１｝であり、αは上位階層により与えられる３ビットのセル特定パラメータである。ｊ＝２の場合、α（ｊ）＝１である。ＰＬは、端末で計算された経路損失（ｐａｔｈｌｏｓｓ）の推定値である。
【００９４】
Ｋｓ＝１．２５の場合、ΔＴＦ（ｉ）＝１０ｌｏｇ１０（（２ＭＰＲ＊Ｋｓ−１）βｏｆｆｓｅｔＰＵＳＣＨ）、Ｋｓ＝０の場合、ΔＴＦ（ｉ）＝０であると決定される。Ｋｓは、上位階層により与えられる端末特定パラメータであり、電力制御のためのトランスポートブロック（ｔｒａｎｓｐｏｒｔ  ｂｌｏｃｋ）大きさの補償値である。ＵＬ−ＳＣＨ（Ｕｐｌｉｎｋ  Ｓｈａｒｅｄ  Ｃｈａｎｎｅｌ）データなしに制御データがＰＵＳＣＨを介して送信される場合、ＭＰＲ＝ＯＣＱＩ／ＮＲＥであり、そうでない場合、ＭＰＲは
【化８】
0005485473.tif 000025
であると決定される。この時、Ｃはコードブロック（ｃｏｄｅ  ｂｌｏｃｋ）の個数であり、Ｋｒはコードブロックｒの大きさであり、ＯＣＱＩはＣＲＣ（Ｃｙｃｌｉｃ  Ｒｅｄｕｎｄａｎｃｙ  Ｃｈｅｃｋｉｎｇ）ビットを含むＣＱＩビットの個数であり、ＮＲＥはリソース要素の個数である。また、ＵＬ−ＳＣＨデータなしに制御データがＰＵＳＣＨを介して送信される場合、βｏｆｆｓｅｔＰＵＳＣＨ＝βｏｆｆｓｅｔＣＱＩであり、そうでない場合、βｏｆｆｓｅｔＰＵＳＣＨ＝１である。
【００９５】
ｆ（ｉ）は、現在ＰＵＳＣＨ電力制御調整状態（ｐｏｗｅｒ  ｃｏｎｔｒｏｌ  ａｄｊｕｓｔｍｅｎｔ  ｓｔａｔｅ）を示す。一方、δＰＵＳＣＨは、ＴＰＣ命令（ＴＰＣ  ｃｏｍｍａｎｄ）と呼ばれる端末特定補正値（ｃｏｒｒｅｃｔｉｏｎ  ｖａｌｕｅ）である。δＰＵＳＣＨは、ＰＤＣＣＨのＤＣＩフォーマット０に含まれたり、ＣＲＣパリティ（ｐａｒｉｔｙ）ビットがＴＰＣ−ＰＵＳＣＨ−ＲＮＴＩとスクランブリング（ｓｃｒａｍｂｌｉｎｇ）されるＰＤＣＣＨのＤＣＩフォーマット３／３Ａの異なるＴＰＣ命令と結合コーディング（ｊｏｉｎｔｌｙ  ｃｏｄｅｄ）されることができる。上位階層により与えられる端末特定パラメータにより蓄積（ａｃｃｕｍｕｌａｔｉｏｎ）が可能であり、又はδＰＵＳＣＨは、ＣＲＣが臨時（ｔｅｍｐｏｒａｒｙ）Ｃ−ＲＮＴＩとスクランブリングされるＰＤＣＣＨのＤＣＩフォーマット０に含まれる場合、ｆ（ｉ）＝ｆ（ｉ−１）＋δＰＵＳＣＨ（ｉ−ＫＰＵＳＣＨ）であると決定されることができる。この時、δＰＵＳＣＨ（ｉ−ＫＰＵＳＣＨ）は、サブフレームｉ−ＫＰＵＳＣＨでＰＤＣＣＨのＤＣＩフォーマット０又は３／３Ａ上にシグナリングされる。ＫＰＵＳＣＨは、ＴＤＤ又はＦＤＤシステムに応じて変わる。また、上位階層により与えられる端末特定パラメータにより蓄積が可能でない場合、ｆ（ｉ）＝δＰＵＳＣＨ（ｉ−ＫＰＵＳＣＨ）であると決定されることができる。この時、δＰＵＳＣＨ（ｉ−ＫＰＵＳＣＨ）は、サブフレームｉ−ＫＰＵＳＣＨでＰＤＣＣＨのＤＣＩフォーマット０上にシグナリングされる。ＫＰＵＳＣＨは、ＴＤＤ又はＦＤＤシステムに応じて変わる。
【００９６】
サブフレームｉにおいて、パワーヘッドルーム（ＰＨ；Ｐｏｗｅｒ  Ｈｅａｄｒｏｏｍ）は、数式１１により決定されることができる。
【００９７】
【数１１】
0005485473.tif 000026
【００９８】
数式１１で、ＰＣＭＡＸ、ＭＰＵＳＣＨ（ｉ）、ＰＯ＿ＰＵＳＣＨ（ｊ）、α（ｊ）、ＰＬ、ΔＴＦ（ｉ）、及びｆ（ｉ）は数式１０における説明と同じである。
【００９９】
ＳＲＳの送信のための端末での動作は、次の通りである。
【０１００】
端末がＳＲＳを送信する時、サブフレームｉにおける送信電力ＰＳＲＳは、数式１２により決定されることができる。
【０１０１】
【数１２】
0005485473.tif 000027
【０１０２】
数式１２で、ＰＣＭＡＸは予め指定された端末の送信電力である。ＰＳＲＳ＿ＯＦＦＳＥＴは上位階層により半静的（ｓｅｍｉ−ｓｔａｔｉｃａｌｌｙ）決定される４ビット長さの端末特定パラメータである。Ｋｓ＝１．２５の場合、ＰＳＲＳ＿ＯＦＦＳＥＴは［−３，１２］ｄＢの範囲で１ｄＢ単位に決定されることができる。Ｋｓ＝０の場合、ＰＳＲＳ＿ＯＦＦＳＥＴは［−１０．５，１２］ｄＢの範囲で１．５ｄＢ単位に決定されることができる。ＭＳＲＳはリソースブロックの個数で示されるＳＲＳ送信の帯域幅を示し、ｆ（ｉ）はＰＵＳＣＨに対する現在電力制御調整状態を示す。ＰＯ＿ＰＵＳＣＨ（ｊ）とα（ｊ）は、数式１０における説明と同じである。
【０１０３】
端末が送信アンテナ選択の可能の時、ｎＳＲＳ時間にＳＲＳを送信する端末アンテナのインデックスａ（ｎＳＲＳ）は、周波数ホッピングが可能でない場合には、全サウンディング帯域幅又は部分サウンディング帯域幅に対してａ（ｎＳＲＳ）＝ｎＳＲＳ  ｍｏｄ２として与えられ、周波数ホッピングが可能の場合には、数式１３により与えられることができる。
【０１０４】
【数１３】
0005485473.tif 000028
【０１０５】
数式１３で、ＢＳＲＳはＳＲＳ帯域幅を示し、ｂｈｏｐは周波数ホッピング帯域幅を示す。Ｎｂは、ＣＳＲＳとＢＳＲＳにより予め決定された表により決定されることができる。
【化９】
0005485473.tif 000029
である。
【０１０６】
数式１３で、βは、数式１４により決定されることができる。
【０１０７】
【数１４】
0005485473.tif 000030
【０１０８】
ＴＤＤシステムで、ＵｐＰＴＳ（Ｕｐｌｉｎｋ  Ｐｉｌｏｔ  Ｔｉｍｅ  Ｓｌｏｔ）内に一つのＳＣ−ＦＤＭＡシンボルが存在する場合、該当ＳＣ−ＦＤＭＡシンボルは、ＳＲＳの送信のために使われることができる。ＵｐＰＴＳ内に２個のＳＣ−ＦＤＭＡシンボルが存在する場合、２個の該当ＳＣ−ＦＤＭＡシンボルの両方ともＳＲＳの送信のために使われることができ、一つの端末に同時に割り当てられることもできる。
【０１０９】
端末は、ＳＲＳの送信とＰＵＣＣＨフォーマット２／２ａ／２ｂの送信が同じサブフレームで同時に発生する場合、いつもＳＲＳを送信しない。
【０１１０】
端末は、ａｃｋＮａｃｋＳＲＳ−ＳｉｍｕｌｔａｎｅｏｕｓＴｒａｎｓｍｉｓｓｉｏｎパラメータがフォールス（ｆａｌｓｅ）である場合、ＳＲＳの送信とＡＣＫ／ＮＡＣＫ及び／又は肯定（ｐｏｓｉｔｉｖｅ）ＳＲを運ぶＰＵＣＣＨの送信が同じサブフレームで実行されると、いつもＳＲＳを送信しない。また、端末は、ａｃｋＮａｃｋＳＲＳ−ＳｉｍｕｌｔａｎｅｏｕｓＴｒａｎｓｍｉｓｓｉｏｎパラメータがトルー（ｔｒｕｅ）である場合、ＳＲＳの送信とＡＣＫ／ＮＡＣＫ及び／又は肯定ＳＲを運ぶＰＵＣＣＨの送信が同じサブフレームで構成されると、縮小された（ｓｈｏｒｔｅｎｅｄ）ＰＵＣＣＨフォーマットを使用し、ＡＣＫ／ＮＡＣＫ及び／又は肯定ＳＲを運ぶＰＵＣＣＨとＳＲＳを同時に送信する。即ち、セル特定するように設定されるＳＲＳサブフレーム内にＡＣＫ／ＮＡＣＫ及び／又は肯定ＳＲを運ぶＰＵＣＣＨが構成される場合には、縮小された（ｓｈｏｒｔｅｎｅｄ）ＰＵＣＣＨフォーマットを使用し、ＡＣＫ／ＮＡＣＫ及び／又は肯定ＳＲを運ぶＰＵＣＣＨとＳＲＳを同時に送信する。ＳＲＳ送信がプリアンブル（ｐｒｅａｍｂｌｅ）フォーマット４のためのＰＲＡＣＨ（Ｐｈｙｓｉｃａｌ  Ｒａｎｄｏｍ  Ａｃｃｅｓｓ  Ｃｈａｎｎｅｌ）領域と重なる場合、或いはセルで構成されたアップリンクシステム帯域幅の範囲を超過する場合、端末はＳＲＳを送信しない。
【０１１１】
上位階層により与えられるパラメータであるａｃｋＮａｃｋＳＲＳ−ＳｉｍｕｌｔａｎｅｏｕｓＴｒａｎｓｍｉｓｓｉｏｎは、端末がＡＣＫ／ＮＡＣＫを運ぶＰＵＣＣＨとＳＲＳを一つのサブフレームで同時に送信することをサポートするか否かを決定する。もし、端末がＡＣＫ／ＮＡＣＫを運ぶＰＵＣＣＨとＳＲＳを一つのサブフレームで同時に送信すると構成される場合、端末はセル特定ＳＲＳサブフレームでＡＣＫ／ＮＡＣＫとＳＲＳを送信することができる。この時、縮小された（ｓｈｏｒｔｅｎｅｄ）ＰＵＣＣＨフォーマットが使われることができ、ＳＲＳが送信される位置に対応されるＡＣＫ／ＮＡＣＫ又はＳＲの送信は省略される（ｐｕｎｃｔｕｒｅｄ）。縮小されたＰＵＣＣＨフォーマットは、端末が該当サブフレームでＳＲＳが送信されない場合にもセル特定ＳＲＳサブフレームで使われる。もし、端末がＡＣＫ／ＮＡＣＫを運ぶＰＵＣＣＨとＳＲＳを一つのサブフレームで同時に送信しないと構成される場合、端末はＡＣＫ／ＮＡＣＫ及びＳＲの送信のために一般的なＰＵＣＣＨフォーマット１／１ａ／１ｂを使用することができる。
【０１１２】
表７及び表８は、ＳＲＳの送信周期であるＴＳＲＳとＳＲＳサブフレームオフセットであるＴｏｆｆｓｅｔを指示する端末特定ＳＲＳ構成の一例である。ＳＲＳの送信周期ＴＳＲＳは、｛２，５，１０，２０，４０，８０，１６０，３２０｝ｍｓのうちいずれか一つに決定されることができる。
【０１１３】
【表７】
0005485473.tif 000031
【０１１４】
表８は、ＴＤＤシステムでのＳＲＳ構成の一例である。
【０１１５】
【表８】
0005485473.tif 000032
【０１１６】
ＴＤＤシステムで、ＴＳＲＳ＞２である場合とＦＤＤシステムでＳＲＳサブフレームは（１０＊ｎｆ＋ｋＳＲＳ−Ｔｏｆｆｓｅｔ）ｍｏｄ  ＴＳＲＳ＝０を満たす。ｎｆはフレームインデックスを示し、ｋＳＲＳはＦＤＤシステムではフレーム内でのサブフレームインデックスを示す。ＴＤＤシステムでＴＳＲＳ＝２である場合、２個のＳＲＳリソースが少なくとも一つのアップリンクサブフレームを含む半フレーム内に構成されることができ、ＳＲＳサブフレームは（ｋＳＲＳ−Ｔｏｆｆｓｅｔ）ｍｏｄ５＝０を満たす。
【０１１７】
ＴＤＤシステムにおけるｋＳＲＳは、表９により決定されることができる。
【０１１８】
【表９】
0005485473.tif 000033
【０１１９】
一方、端末は、ＳＲＳの送信と任意接続応答グラント又はコンテンションベースの任意接続手順の一部として同じトランスポートブロック（ｔｒａｎｓｐｏｒｔ  ｂｌｏｃｋ）の再送信に対応されるＰＵＳＣＨの送信が同じサブフレーム内で実行される場合、いつもＳＲＳを送信しない。
【０１２０】
ＳＲＳの送信方法は、二つに区分されることができる。ＬＴＥ  ｒｅｌ−８で定義された方法により、ＲＲＣ（Ｒａｄｉｏ  Ｒｅｓｏｕｒｃｅ  Ｃｏｎｔｒｏｌ）シグナリングにより受信したＳＲＳパラメータによって周期的にＳＲＳを送信する周期的（ｐｅｒｉｏｄｉｃ）ＳＲＳの送信方法と、基地局から動的（ｄｙｎａｍｉｃ）に誘発（ｔｒｉｇｇｅｒ）されるメッセージに基づいて必要のたびにＳＲＳを送信する非周期的（ａｐｅｒｉｏｄｉｃ）ＳＲＳの送信方法が存在する。ＬＴＥ−Ａで非周期的ＳＲＳの送信方法が導入されることができる。
【０１２１】
一方、周期的ＳＲＳの送信方法及び非周期的ＳＲＳの送信方法におけるＳＲＳは、端末特定（ＵＥ−ｓｐｅｃｉｆｉｃ）するように決定された端末特定ＳＲＳサブフレームで送信されることができる。ＬＴＥ  ｒｅｌ−８で定義された周期的ＳＲＳの送信方法で、セル特定ＳＲＳパラメータにより周期的にセル特定ＳＲＳサブフレームが設定され、セル特定ＳＲＳサブフレームのうち端末特定ＳＲＳパラメータにより設定される周期的な端末特定ＳＲＳサブフレームで周期的ＳＲＳが送信される。この時、周期的な端末特定ＳＲＳサブフレームは、セル特定ＳＲＳサブフレームの部分集合である。前記セル特定ＳＲＳパラメータは、上位階層（ｈｉｇｈｅｒ  ｌａｙｅｒ）により与えられることができる。非周期的ＳＲＳの送信方法で、非周期的ＳＲＳは、端末特定非周期的ＳＲＳパラメータにより決定される非周期的な端末特定ＳＲＳサブフレームで送信されることができる。非周期的ＳＲＳ送信方法の非周期的端末特定ＳＲＳサブフレームは、ＬＴＥ  ｒｅｌ−８で定義されたようにセル特定ＳＲＳサブフレームの部分集合であり、又は、非周期的端末特定ＳＲＳサブフレームは、セル特定ＳＲＳサブフレームと同じであってもよい。前記端末特定非周期的ＳＲＳパラメータも前記セル特定ＳＲＳパラメータと同様に上位階層により与えられることができる。端末特定非周期的ＳＲＳサブフレームは、前述した表７又は表８のサブフレーム周期及びサブフレームオフセットにより設定されることができる。
【０１２２】
前述したように、数式１０でＳＲＳ送信電力が決定される。これは周期的ＳＲＳの送信電力を決定する数式であり、数式１０でＰＳＲＳ＿ＯＦＦＳＥＴはＲＲＣシグナリングを介して提供される。しかし、非周期的ＳＲＳの送信電力を決定する方法は、提案されたことがなく、これにより、非周期的ＳＲＳの送信電力を決定するためのシグナリング方法も提案される必要がある。
【０１２３】
図６は、提案された非周期的ＳＲＳ送信方法の一実施例を示す。
【０１２４】
ステップＳ１００で、基地局は、非周期的ＳＲＳのためのパワーオフセットパラメータを設定する。ステップＳ１１０で、端末は、前記パワーオフセットパラメータを上位階層を介して基地局から受信する。ステップ１２０で、端末は、非周期的ＳＲＳの送信をトリガするトリガリングメッセージを基地局から受信する。ステップＳ１３０で、端末は、前記パワーオフセットパラメータに基づいて前記非周期的ＳＲＳの送信電力を設定する。ステップＳ１４０で、端末は、前記設定された非周期的ＳＲＳの送信電力に基づいて前記非周期的ＳＲＳを基地局に送信する。
【０１２５】
端末がＳＲＳ送信電力を決定するために多様な方法が提案されることができる。特に、既存の周期的ＳＲＳの送信電力外にも新たに導入された非周期的ＳＲＳの送信電力を決定するための方法が提案されることができる。非周期的ＳＲＳの送信電力決定方法によって、このためのパラメータがシグナリングされる方法も提案されることができる。
【０１２６】
まず、非周期的ＳＲＳの送信電力を決定するためのパラメータは、周期的ＳＲＳの送信電力を決定するためのパラメータとは違って、ＰＤＣＣＨを介して動的（ｄｙｎａｍｉｃ）にシグナリングされることができ、基地局で送信されるトリガリングメッセージ（ｔｒｉｇｇｅｒｉｎｇ  ｍｅｓｓａｇｅ）は、非周期的ＳＲＳの送信と対応されるように非周期的に送信されることができる。これにより、非周期的ＳＲＳの送信電力は、動的に決定されることができる。
【０１２７】
又は、非周期的ＳＲＳの送信電力を決定するためのパラメータは、周期的ＳＲＳの送信電力を決定するためのパラメータと同様にＲＲＣを介してシグナリングされることができる。この時、周期的ＳＲＳの送信電力のためのパラメータと非周期的ＳＲＳの送信電力のためのパラメータは、互いに分離されるように構成されることができる。又は、非周期的ＳＲＳの送信電力のためのパラメータは、周期的ＳＲＳの送信電力のためのパラメータのうち一部のみ分離されて構成されることができる。これは周期的ＳＲＳと非周期的ＳＲＳの両方とも共通的にチャネル推定を実行するという観点で、ＳＲＳの送信電力のためのパラメータのうち一部は、周期的ＳＲＳと非周期的ＳＲＳの両方ともに適用し、残りの一部パラメータは、周期的ＳＲＳと非周期的ＳＲＳに各々分離して適用することを意味する。
【０１２８】
例えば、非周期的ＳＲＳは、周期的ＳＲＳに比べて瞬間チャネル推定（ｉｎｓｔａｎｔａｎｅｏｕｓ  ｃｈａｎｎｅｌ  ｍｅａｓｕｒｅｍｅｎｔ）を実行し、周期的ＳＲＳに比べてさらに正確なチャネル推定を要求することができる。これにより、非周期的ＳＲＳの送信電力を決定するパワーオフセットと周期的ＳＲＳの送信電力を決定するパワーオフセットを互いに違って構成することができる。即ち、既存の周期的ＳＲＳの送信電力のためのパワーオフセットは、ＬＴＥ−Ａでもそのまま周期的ＳＲＳの送信電力のために使われ、非周期的ＳＲＳの送信電力のためのパワーオフセットは、ＬＴＥ−Ａで新たに定義されることができる。
【０１２９】
新たに定義される非周期的ＳＲＳの送信電力のためのパワーオフセットは、周期的ＳＲＳと同様にシステム情報（ｓｙｓｔｅｍ  ｉｎｆｏｒｍａｔｉｏｎ）で送信されるアップリンク電力制御パラメータにより指示されてよく、ＲＲＣシグナリングを介して指示されてもよい。又は、非周期的ＳＲＳのトリガリングメッセージがＰＤＣＣＨを介して動的に送信されることができるため、非周期的ＳＲＳの送信電力のためのパワーオフセットもＰＤＣＣＨを介して指示されることができる。
【０１３０】
数式１５は、提案された非周期的ＳＲＳ送信方法で非周期的ＳＲＳの送信電力を決定する数式の一例である。
【０１３１】
【数１５】
0005485473.tif 000034
【０１３２】
数式１５は、周期的ＳＲＳと非周期的ＳＲＳの送信電力の両方とも決定することができる。ｃはサービングセル（ｓｅｒｖｉｎｇ  ｃｅｌｌ）を意味する。数式１５は、周期的ＳＲＳ送信電力を決定する数式１２と類似するが、周期的ＳＲＳが送信されるか、又は非周期的ＳＲＳが送信されるかに応じてパワーオフセットＰＳＲＳ＿ＯＦＦＳＥＴ，ｃ（ｍ）が決定される。ＰＳＲＳ＿ＯＦＦＳＥＴ，ｃ（ｍ）は、上位階層により半静的に決定される４ビット長さのパラメータであり、ｍ＝０の場合、周期的ＳＲＳでのパワーオフセットを指示し、ｍ＝１の場合、非周期的ＳＲＳでのパワーオフセットを指示することができる。数式１２と同様に、Ｋｓ＝１．２５の場合、ＰＳＲＳ＿ＯＦＦＳＥＴ，ｃ（ｍ）は［−３，１２］ｄＢの範囲で１ｄＢ単位に決定されることができる。Ｋｓ＝０の場合、ＰＳＲＳ＿ＯＦＦＳＥＴ，ｃ（ｍ）は［−１０．５，１２］ｄＢの範囲で１．５ｄＢ単位に決定されることができる。ＰＣＭＡＸ，ｃ（ｉ）は数式１２のＰＣＭＡＸであり、ＭＳＲＳ，ｃは数式１２のＭＳＲＳであり、ＰＯ＿ＰＵＳＣＨ，ｃは数式１２のＰＯ＿ＰＵＳＣＨであり、αｃ（ｊ）は数式１２のα（ｊ）であり、ＰＬｃは数式１２のＰＬであり、ｆｃ（ｉ）は数式１２のｆ（ｉ）と同じパラメータである。
【０１３３】
図７は、本発明の実施例が具現される無線通信システムのブロック図である。
【０１３４】
基地局８００は、プロセッサ（ｐｒｏｃｅｓｓｏｒ）８１０、メモリ（ｍｅｍｏｒｙ）８２０、及びＲＦ部（Ｒａｄｉｏ  Ｆｒｅｑｕｅｎｃｙ  ｕｎｉｔ）８３０を含む。プロセッサ８１０は、提案された機能、過程及び／又は方法を具現する。無線インターフェースプロトコルの階層は、プロセッサ８１０により具現されることができる。プロセッサ８１０は、非周期的ＳＲＳのためのパワーオフセットパラメータを設定する。メモリ８２０は、プロセッサ８１０と連結され、プロセッサ８１０を駆動するための多様な情報を格納する。  ＲＦ部８３０は、プロセッサ８１０と連結され、無線信号を送信及び／又は受信する。
【０１３５】
端末９００は、プロセッサ９１０、メモリ９２０、及びＲＦ部９３０を含む。プロセッサ９１０は、提案された機能、過程及び／又は方法を具現する。無線インターフェースプロトコルの階層は、プロセッサ９１０により具現されることができる。プロセッサ９１０は、上位階層により与えられる非周期的ＳＲＳのためのパワーオフセットパラメータに基づいて非周期的ＳＲＳの送信電力を設定する、前記設定された送信電力に基づいて非周期的ＳＲＳを送信する。メモリ９２０は、プロセッサ９１０と連結され、プロセッサ９１０を駆動するための多様な情報を格納する。ＲＦ部９３０は、プロセッサ９１０と連結され、  無線信号を送信及び／又は受信する。
【０１３６】
プロセッサ９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット  、論理回路及び／又はデータ処理装置を含むことができる。  ＲＦ部９２０は、無線信号を処理するためのベースバンド回路を含むことができる。実施例がソフトウェアで具現される時、前述した技法は、前述した機能を遂行するモジュール（過程、機能など）で具現されることができる。モジュールは、プロセッサ９１０により実行されることができる。
【０１３７】
本明細書は、例えば、以下の項目も提供する。
（項目１）
無線通信システムにおける端末（ＵＥ；Ｕｓｅｒ  Ｅｑｕｉｐｍｅｎｔ）により実行される非周期的（ａｐｅｒｉｏｄｉｃ）サウンディング参照信号（ＳＲＳ；Ｓｏｕｎｄｉｎｇ  Ｒｅｆｅｒｅｎｃｅ  Ｓｉｇｎａｌ）送信方法において、
基地局が設定した非周期的ＳＲＳのためのパワーオフセット（ｐｏｗｅｒ  ｏｆｆｓｅｔ）パラメータを上位階層（ｈｉｇｈｅｒ  ｌａｙｅｒ）を介して受信し、
前記パワーオフセット（ｐｏｗｅｒ  ｏｆｆｓｅｔ）パラメータに基づいて前記非周期的ＳＲＳの送信電力を設定し、
前記設定された非周期的ＳＲＳの送信電力に基づいて前記非周期的ＳＲＳを前記基地局に送信することを含む非周期的ＳＲＳ送信方法。
（項目２）
前記パワーオフセットパラメータの長さは、４ビットであることを特徴とする項目１に記載の非周期的ＳＲＳ送信方法。
（項目３）
前記パワーオフセットパラメータは、ＲＲＣ（Ｒａｄｉｏ  Ｒｅｓｏｕｒｃｅ  Ｃｏｎｔｒｏｌ）シグナリングされることを特徴とする項目１に記載の非周期的ＳＲＳ送信方法。
（項目４）
前記非周期的ＳＲＳの送信電力は、前記パワーオフセットパラメータに基づいて以下の数式により決定され、
以下の数式において、ｍ＝１であることを特徴とする項目１に記載の非周期的ＳＲＳ送信方法。
【化１０】
0005485473.tif 000035
ｉはサブフレームインデックスを示し、ｃはサービングセル（ｓｅｒｖｉｎｇ  ｃｅｌｌ）を示す。ＰＣＭＡＸ，ｃ（ｉ）は予め指定された端末の送信電力を示し、ＰＳＲＳ＿ＯＦＦＳＥＴ，ｃ（ｍ）は前記パワーオフセットパラメータを示し、ＭＳＲＳ，ｃはリソースブロックの個数で示されるＳＲＳ送信の帯域幅を示し、ＰＯ＿ＰＵＳＣＨ，ｃ（ｊ）は、上位階層により与えられるセル特定名目要素（ｎｏｍｉｎａｌ  ｃｏｍｐｏｎｅｎｔ）であるＰＯ＿ＮＯＭＩＮＡＬ＿ＰＵＳＣＨ（ｊ）と、上位階層により与えられる端末特定要素であるＰＯ＿ＵＥ＿ＰＵＳＣＨ（ｊ）と、の和で構成されるパラメータを示し、αｃ（ｊ）は上位階層により与えられるセル特定パラメータを示し、ＰＬｃは端末で計算された経路損失（ｐａｔｈｌｏｓｓ）の推定値を示し、ｆ（ｉ）はＰＵＳＣＨ（Ｐｈｙｓｉｃａｌ  Ｕｐｌｉｎｋ  Ｓｈａｒｅｄ  Ｃｈａｎｎｅｌ）に対する現在電力制御調整状態を示す。
（項目５）
前記パワーオフセットパラメータは、電力制御でトランスポートブロック（ｔｒａｎｓｐｏｒｔ  ｂｌｏｃｋ）大きさの補償値を指示する端末特定（ＵＥ−ｓｐｅｃｉｆｉｃ）パラメータにより決定されることを特徴とする項目１に記載の非周期的ＳＲＳ送信方法。
（項目６）
前記端末特定パラメータの値が１．２５の場合、前記パワーオフセットパラメータは、［−３，１２］ｄＢの範囲で１ｄＢ単位に決定されることを特徴とする項目５に記載の非周期的ＳＲＳ送信方法。
（項目７）
前記端末特定パラメータの値が０の場合、前記パワーオフセットパラメータは、［−１０．５，１２］ｄＢの範囲で１．５ｄＢ単位に決定されることを特徴とする項目５に記載の非周期的ＳＲＳ送信方法。
（項目８）
前記非周期的ＳＲＳの送信は、前記基地局から送信されるトリガリングメッセージ（ｔｒｉｇｇｅｒｉｎｇ  ｍｅｓｓａｇｅ）によりトリガ（ｔｒｉｇｇｅｒ）されることを特徴とする項目１に記載の非周期的ＳＲＳ送信方法。
（項目９）
無線通信システムにおいて、
基地局が設定した非周期的（ａｐｅｒｉｏｄｉｃ）サウンディング参照信号（ＳＲＳ；Ｓｏｕｎｄｉｎｇ  Ｒｅｆｅｒｅｎｃｅ  Ｓｉｇｎａｌ）のためのパワーオフセット（ｐｏｗｅｒ  ｏｆｆｓｅｔ）パラメータに基づいて前記非周期的ＳＲＳの送信電力を設定するように構成されるプロセッサ（ｐｒｏｃｅｓｓｏｒ）；及び、
前記プロセッサと連結されるＲＦ（Ｒａｄｉｏ  Ｆｒｅｑｕｅｎｃｙ）部；を含み、
前記ＲＦ部は、
前記パワーオフセットパラメータを上位階層（ｈｉｇｈｅｒ  ｌａｙｅｒ）を介して前記基地局から受信し、
前記設定された非周期的ＳＲＳの送信電力に基づいて前記非周期的ＳＲＳを前記基地局に送信するように構成される端末。
（項目１０）
前記パワーオフセットパラメータの長さは、４ビットであることを特徴とする項目９に記載の端末。
（項目１１）
前記パワーオフセットパラメータは、ＲＲＣ（Ｒａｄｉｏ  Ｒｅｓｏｕｒｃｅ  Ｃｏｎｔｒｏｌ）シグナリングされることを特徴とする項目９に記載の端末。
（項目１２）
前記非周期的ＳＲＳの送信電力は、前記パワーオフセットパラメータに基づいて以下の数式により決定され、
以下の数式において、ｍ＝１であることを特徴とする項目９に記載の端末。
【化１１】
0005485473.tif 000036
ｉはサブフレームインデックスを示し、ｃはサービングセル（ｓｅｒｖｉｎｇ  ｃｅｌｌ）を示す。ＰＣＭＡＸ，ｃ（ｉ）は予め指定された端末の送信電力を示し、ＰＳＲＳ＿ＯＦＦＳＥＴ，ｃ（ｍ）は前記パワーオフセットパラメータを示し、ＭＳＲＳ，ｃはリソースブロックの個数で示されるＳＲＳ送信の帯域幅を示し、ＰＯ＿ＰＵＳＣＨ，ｃ（ｊ）は、上位階層により与えられるセル特定名目要素（ｎｏｍｉｎａｌ  ｃｏｍｐｏｎｅｎｔ）であるＰＯ＿ＮＯＭＩＮＡＬ＿ＰＵＳＣＨ（ｊ）と、上位階層により与えられる端末特定要素であるＰＯ＿ＵＥ＿ＰＵＳＣＨ（ｊ）と、の和で構成されるパラメータを示し、αｃ（ｊ）は上位階層により与えられるセル特定パラメータを示し、ＰＬｃは端末で計算された経路損失（ｐａｔｈｌｏｓｓ）の推定値を示し、ｆ（ｉ）はＰＵＳＣＨ（Ｐｈｙｓｉｃａｌ  Ｕｐｌｉｎｋ  Ｓｈａｒｅｄ  Ｃｈａｎｎｅｌ）に対する現在電力制御調整状態を示す。
（項目１３）
前記パワーオフセットパラメータは、電力制御でトランスポートブロック（ｔｒａｎｓｐｏｒｔ  ｂｌｏｃｋ）大きさの補償値を指示する端末特定（ＵＥ−ｓｐｅｃｉｆｉｃ）パラメータにより決定されることを特徴とする項目９に記載の端末。
（項目１４）
前記端末特定パラメータの値が１．２５の場合、前記パワーオフセットパラメータは、［−３，１２］ｄＢの範囲で１ｄＢ単位に決定されることを特徴とする項目１３に記載の端末。
（項目１５）
前記端末特定パラメータの値が０の場合、前記パワーオフセットパラメータは、［−１０．５，１２］ｄＢの範囲で１．５ｄＢ単位に決定されることを特徴とする項目１３に記載の端末。
前述した例示的なシステムで、方法は、一連のステップ又はブロックで順序図に基づいて説明されているが、本発明は、ステップの順序に限定されるものではなく、あるステップは前述と異なるステップと異なる順序に又は同時に発生することができる。また、当業者であれば、順序図に示すステップが排他的でなく、他のステップが含まれたり、順序図の一つ又はその以上のステップが本発明の範囲に影響を及ぼさずに削除可能であることを理解することができる。
【０１３８】
前述した実施例は、多様な態様の例示を含む。多様な態様を示すための全ての可能な組合せを記述することはできないが、該当技術分野の通常の知識を有する者は、他の組合せが可能であることを認識することができる。従って、本発明は、特許請求の範囲内に属する全ての交替、修正、及び変更を含む。
【図１】
0005485473.tif 000039
【図２】
0005485473.tif 000040
【図３】
0005485473.tif 000041
【図４】
0005485473.tif 000042
【図５】
0005485473.tif 000043
【図６】
0005485473.tif 000044
【図７】
0005485473.tif 000045